(57)【要約】【課題】既存のアークホーンに適用してアークホーンの絶縁間隔Ｚを調整すること等ができるアークホーンアダプタを提供する。【解決手段】絶縁碍子（１０１）の軸方向両端部に夫々配置された地側ホーン（２）及び線側ホーン（３）から成るアークホーン（１）の先端に取り付けられるアークホーンアダプタ（１０）であって、少なくとも一方のホーンを延長するための棒状のキャップ本体（１２）と、該キャップ本体をホーンに固定するための固定部材（１４）と、を有し、該固定部材は、前記キャップ本体をホーン先端の任意の位置に絞めつけて固定するためのロック機構を構成する。【選択図】図４
2012174478.tif 000002
【特許請求の範囲】
【請求項１】
絶縁碍子（１０１）の軸方向両端部に夫々配置された地側ホーン（２）及び線側ホーン（３）から成るアークホーン（１）の先端に取り付けられるアークホーンアダプタ（１０）であって、
少なくとも一方のホーンを延長するための棒状のキャップ本体（１２）と、該キャップ本体をホーンに固定するための固定部材（１４）と、を有し、
該固定部材は、前記キャップ本体をホーン先端の任意の位置に絞めつけて固定するためのロック機構を構成する、ことを特徴とするアークホーンアダプタ。
【請求項２】
前記ロック機構は、前記ホーン（２，３）の先端が差し込まれる深穴（１６）が形成されたキャップ本体（１２）の基端の外周面に形成されたねじ山（１８）と、固定部材（１４）であるロックリング（２２）及びロックナット（２４）から構成され、
ロックナットとキャップ本体との間に配置されたロックリングは、ロックナットをキャップ本体のねじ山にねじ込むことで縮径してキャップ本体をホーン先端に任意の挿入深度で固定可能とする、ことを特徴とする請求項１に記載のアークホーンアダプタ。
【請求項３】
前記ロック機構は、前記ホーン（２，３）の先端が差し込まれる深穴（１６）が形成されたキャップ本体（１２）の基端の外周面に形成されたねじ山（１８）およびキャップ本体の基端から軸方向に形成されたスリット（２６）と、固定部材（１４）であるロックナット（２４）から構成され、
該ロックナットをキャップ本体のねじ山にねじ込むことで深穴の入り口部分が縮径してキャップ本体をホーン先端に任意の挿入深度で固定可能とする、ことを特徴とする請求項１に記載のアークホーンアダプタ。
【請求項４】
前記キャップ本体（１２）の基端側にその径方向に形成されたボルト穴（３２）と、該ボルト穴に螺合されるイモネジ（３４）と、からなり、
前記ボルト穴にイモネジを埋没させてねじ込むことでキャップ本体（１２）のホーン（２，３）先端からの抜け落ちを防止する抜止機構が設けられている、ことを特徴とする請求項２又は３に記載のアークホーンアダプタ。
【請求項５】
前記キャップ本体（１２）は所定の角度に屈曲して形成されている、ことを特徴とする請求項１乃至４のいずれか一項に記載のアークホーンアダプタ。
【請求項６】
前記キャップ本体（１２）の先端部（１２ａ）は着脱自在構造となっており、該先端部を交換することでキャップ本体の全長が調整可能となっている、ことを特徴とする請求項１乃至５のいずれか一項に記載のアークホーンアダプタ。
【発明の詳細な説明】
【技術分野】
【０００１】
本発明は、架空送電線を支持する絶縁碍子を雷害から保護するアークホーンを改良するためのアダプタ（アークホーンアダプタ）に関する。
【背景技術】
【０００２】
架空送電線は絶縁碍子を介して鉄塔に支持されるが、雷害によって絶縁碍子が破壊すると送電中止となるため、雷害から絶縁碍子を保護する手段としてアークホーンが設けられる。
【０００３】
図９（ａ）及び（ｂ）は鉄塔に架空送電線を支持した状態の概略図及び従来のアークホーンの構成説明図である。
図９（ａ）に示すように架空送電線１００は絶縁碍子１０１を介して鉄塔１０２に支持されているが、架空送電線１００に落雷による過電流が流れると絶縁破壊が起きて地絡又は短絡事故となるため、架空送電線を支持する絶縁碍子１０１にはアークホーン１１０が設けられる。アークホーン１１０は、雷に起因して発生した過電流を安全に放電させて碍子表面からの沿面放電によって碍子が過熱破損することを防止するための金属部材である。放電によって碍子表面に発生するアークをアークホーンに導くことにより、碍子を構成する磁器が熱による破壊を免れることができる。
【０００４】
従来からあるアークホーン１１０は、図９（ｂ）に示すように絶縁碍子１０１の両端部に設けた支持部１０５に対してボルトによって基部を固定される金属棒であり、アークホーンを新設、或いは交換する際には、アークホーンの先端部間の間隔（ギャップ：絶縁間隔）Ｚをミリ単位で微調整する必要がある。調整に際しては、ボルト径と、ボルトを螺着するネジ穴の内径との間のマージンを利用してアークホーンの傾斜角度を微調整している。
【０００５】
より具体的には、ギャップＺの誤差の許容範囲は規定では最適絶縁間隔の±２％以内と定められている。例えば６６ｋＶの場合の最適絶縁間隔は５６０ｍｍであり、１１０ｋＶの場合の最適絶縁間隔は１５１０ｍｍと規定されており、そのためギャップの許容誤差は前者で１１．２ｍｍ、後者で３０．２ｍｍとなる。
【０００６】
ところで従来、雷撃によって各アークホーン１１０間で閃絡が発生してアークホーン先端部が溶損した場合には、絶縁間隔Ｚに狂いが発生するため交換する必要が生じる。しかし、従来のアークホーンは一本の金属棒から構成されていたため、アークホーン全体を交換する必要があった。従来では雷撃によりホーン先端の溶損が発生した場合、鉄塔に登ってアークホーン全体を交換しており、部品コストが増大するばかりでなく多大な時間と労力を要する作業となり、この点の改善が求められていた。
【０００７】
そのため本願出願人はこれらの問題に鑑み下記特許文献１において、アークホーンの線側の主ホーンと、地側の主ホーンのうちの少なくとも一方の主ホーンを、絶縁碍子側に固定される固定部材と、この固定部材に対して着脱可能な先端部材とから構成することで、雷撃によってアークホーン先端部が溶損した場合にもアークホーン全体を交換することなく、溶損した先端部材だけを交換することにより、交換に要する労力や時間、コストを低減することを可能とした「アークホーン」を発案している。
【先行技術文献】
【特許文献】
【０００８】
【特許文献１】特開２００９−３２４２３公報
【発明の概要】
【発明が解決しようとする課題】
【０００９】
しかしながら特許文献１のアークホーンは、アークホーン自体を改良するものであるためアークホーン自体を新規に設置し又は取り替える場合には採用することができるものの、既設のアークホーンには対応できないといった問題があった。またアークホーンの絶縁間隔Ｚの微妙な調整ができず、またはできたとしても簡易には調整することができないといった問題があった。
【００１０】
本発明はこれらの問題を解決するためになされたものであり、既存のアークホーンに適用してアークホーンの絶縁間隔Ｚを調整ことができ、また絶縁間隔Ｚの微妙な調整も簡易に行うこと等ができるアークホーンアダプタを提供することを目的としている。
【課題を解決するための手段】
【００１１】
前記課題を解決するために本発明は、絶縁碍子（１０１）の軸方向両端部に夫々配置された地側ホーン（２）及び線側ホーン（３）から成るアークホーン（１）の先端に取り付けられるアークホーンアダプタ（１０）であって、少なくとも一方のホーンを延長するための棒状のキャップ本体（１２）と、該キャップ本体をホーンに固定するための固定部材（１４）と、を有し、該固定部材は、前記キャップ本体をホーン先端の任意の位置に絞めつけて固定するためのロック機構を構成する、ことを特徴とするアークホーンアダプタを提供する。
【００１２】
ここで、前記ロック機構は、前記ホーン（２，３）の先端が差し込まれる深穴（１６）が形成されたキャップ本体（１２）の基端の外周面に形成されたねじ山（１８）と、固定部材（１４）であるロックリング（２２）及びロックナット（２４）から構成され、ロックナットとキャップ本体との間に配置されたロックリングは、ロックナットをキャップ本体のねじ山にねじ込むことで縮径してキャップ本体をホーン先端に任意の挿入深度で固定可能とする、ものとする。
【００１３】
または、前記ロック機構は、前記ホーン（２，３）の先端が差し込まれる深穴（１６）が形成されたキャップ本体（１２）の基端の外周面に形成されたねじ山（１８）およびキャップ本体の基端から軸方向に形成されたスリット（２６）と、固定部材（１４）であるロックナット（２４）から構成され、該ロックナットをキャップ本体のねじ山にねじ込むことで深穴の入り口部分が縮径してキャップ本体をホーン先端に任意の挿入深度で固定可能とする、ものとする。
【００１４】
ここで、前記キャップ本体（１２）の基端側にその径方向に形成されたボルト穴（３２）と、該ボルト穴に螺合されるイモネジ（３４）と、からなり、前記ボルト穴にイモネジを埋没させてねじ込むことでキャップ本体（１２）のホーン（２，３）先端からの抜け落ちを防止する抜止機構が設けられている、ことが好ましい。
【００１５】
なお、前記キャップ本体（１２）は所定の角度に屈曲して形成されている、ことも好ましい。
【００１６】
さらに、前記キャップ本体（１２）の先端部（１２ａ）は着脱自在構造となっており、該先端部を交換することでキャップ本体の全長が調整可能となっている、ことも好ましい。
【発明の効果】
【００１７】
以上のような構成の本発明によれば、既存のアークホーンに適用してアークホーンの絶縁間隔Ｚを調整ことができ、また絶縁間隔Ｚの微妙な調整も簡易に行うこと等ができるアークホーンアダプタを提供することができる。また雷撃によってアークホーン先端部が溶損した場合にもアークホーン全体を交換することなく、溶損した先端部材だけを交換することにより、交換に要する労力や時間、コストを低減することができる。
【図面の簡単な説明】
【００１８】
【図１】本発明のアークホーンアダプタを適用したアークホーンを示した図である。
【図２】アークホーンアダプタの一実施形態を示す斜視図である。
【図３】アークホーンアダプタの一実施形態を示す斜視図平面図および軸方向断面図である。
【図４】アークホーンアダプタの一実施形態を示す分解斜視図である。
【図５】アークホーンアダプタの他の実施形態を示す平面図および軸方向断面図である。
【図６】他の実施形態のアークホーンアダプタを取り付けた状態のアークホーンを示した図である。
【図７】アークホーンアダプタの他の実施形態を示す平面図および軸方向断面図である。
【図８】アークホーンアダプタの他の実施形態を示す分解斜視図である。
【図９】鉄塔に架空送電線を支持した状態の概略図（ａ）及び従来のアークホーンの構成説明図（ｂ）である。
【発明を実施するための形態】
【００１９】
以下、本発明のアークホーンアダプタが適用されるアークホーンの構造についてまず説明し、その後に本発明のアークホーンアダプタについて図面を用いて詳細に説明する。
図１は本発明の一実施形態のアークホーンアダプタを取り付けた状態のアークホーンを示した図である。図２はアークホーンアダプタの一実施形態を示す斜視図である。図３はアークホーンアダプタの一実施形態を示す平面図（ａ）および軸方向断面図（ｂ）、図４はアークホーンアダプタの分解斜視図である。
【００２０】
図１に示したように本発明のアークホーンアダプタ１０が適用されるアークホーン１は、鉄塔のアームに支持された絶縁碍子１０１の長手方向（軸方向）両端部に夫々配置された地側ホーン２及び線側ホーン３から構成されている。
地側ホーン２及び線側ホーン３は直径が１ｃｍ程度で長さが３０ｃｍ程度の鋼材丸棒を加工したものであり、線側ホーン３はその付け根側の位置で挟角が１３５°程度となるようにくの字型に屈曲して形成されている。地側ホーン２もその付け根側から５〜１０ｃｍ程度の位置で挟角が１３５°程度となるようにくの字型に屈曲しており、また、地側ホーンの先端３ｃｍ程度の箇所が湾曲して全体として変形したＳ字型に形成されている。
絶縁碍子１０１の両端部には夫々支持部１０５が設けられており、各支持部に対して地側ホーン２と線側ホーン３が夫々ボルト（連結部材）により、対をなす線側ホーン３の先端と地側ホーン２の先端部の湾曲箇所とが近づくように八の字をなして取り付けられている。
【００２１】
本発明のアークホーンアダプタ１０は、主として既設のアークホーン１の線側ホーン３の先端に取り付けられることで、線側ホーンの全長を延長して線側ホーンの先端（アークホーンアダプタの先端）と地側ホーン２の先端部の湾曲箇所との間隔、すなわち絶縁間隔Ｚを必要に応じてある程度任意な間隔に狭めることを容易に行えるようにするものである。
そして本発明のアークホーンアダプタ１０は、棒状のキャップ本体１２と、キャップ本体を線側ホーン３（または地側ホーン２）に固定するための固定部材１４と、を有し、固定部材は、キャップ本体をホーン先端の任意の位置に絞めつけて固定するためのロック機構を構成することを特徴としている。
【００２２】
図２乃至図４に示したように、キャップ本体１２はアークホーン１と同様の金属鋼材製の長さが７ｃｍ程度で直径が１．５ｃｍ程度の円柱棒材を加工したものであり、その基端である一端面の中心からは深さが５ｃｍ程度の深穴１６が軸方向に形成されている。また、キャップ本体１２の一端面側の外周には１ｃｍ程度の範囲でねじ山１８が形成されている。このねじ山１８はロック機構の一部を構成している。またキャップ本体１２の先端（他端）は半球面状に面取りされている。
さらにこのキャップ本体１２の側面には、その一端側から１ｃｍ程度の位置に径方向に直径３ｍｍ程度のボルト穴３２が深穴１６まで貫通して形成されており、このボルト穴には例えば六角レンチによってねじ込み可能なイモネジ３４が埋没するようにして螺合されるようになっている。このボルト穴３２およびイモネジ３４は、ホーン２先端に取り付けたキャップ本体１２が万が一にも抜け落ちることがないようにするための抜止機構を構成するものである。すなわちボルト穴３２に螺合したイモネジ３４の先端がキャップ本体１２の深穴１６に挿入したアークホーンの側面に押し付けられることで、ホーン先端に取り付けたキャップ本体１２の抜け落ちが防止される。
【００２３】
ロック機構を構成する固定部材１４は、ロックリング２２及びロックナット２４から構成されている。ロックリング２２はホーン２先端にちょうど嵌めることができる直径の鋼製リングであり、リングの一部が欠けたＣ型形状をしている。またこのロックリング２２はその軸方向断面が略三角形となるテーパー状の外周面を有している。
ロックナット２４はキャップ本体１２のねじ山１８に螺合することができる一般的な六角ナットを加工して、その螺穴の一端側にロックリング２２を嵌め込むための空間を形成したものである。そしてこの空間は、螺穴口側がロックリングのテーパー面と当接することとなる斜面を有している。そのためロックリング２２を内面に取り付けたロックナット２４をホーン先端に挿し込んだキャップ本体１２のねじ山１８にねじ込んで締め付けてやると、ロックリングがロックナットのテーパー面に抑えつけられて縮径するため、キャップ本体をホーン先端に固定することができる。
【００２４】
すなわちこの実施例の場合、ロック機構は、キャップ本体１２の一端の外周面に形成されたねじ山１８と、固定部材１４であるロックリング２２及びロックナット２４（また本実施例ではキャップ本体のボルト穴３２およびイモネジ３４も含む）から構成される。
アークホーンアダプタ１０の取り付けは、まずロックナット２４の螺穴内の斜面を有する空間にロックリング２２をいったん縮径させながら押し込むことで取り付け、それからホーン２先端からこのロックナット２４を挿し入れた後に、キャップ本体１２にホーン先端を２〜５ｃｍの範囲で所望の挿入深度で挿入してやる。それからイモネジ３４をキャップ本体１２のボルト穴３２にねじ込むことでキャップ本体をホーン２先端に一次的に固定し、そして最後にキャップ本体のねじ山１８にロックナット２４を強くねじ込むことでロックリング２２を縮径させてキャップ本体をホーン先端に２次的に固定してやる。
【００２５】
このようにこのアークホーンアダプタ１０によれば、キャップ本体１２をホーン先端に簡易に任意な挿入深度で確実に固定することができるため、既設のアークホーンの絶縁間隔Ｚを容易に微調整することができる。
【００２６】
また図５および図６に他の実施形態のアークホーンアダプタ（変形例）を示した。図５はアークホーンアダプタの他の実施形態を示す平面図（ａ）および軸方向断面図（ｂ）、図６は他の実施形態のアークホーンアダプタを取り付けた状態のアークホーンを示した図である。
このアークホーンアダプタ１０’は全長が１５ｃｍ程度とキャップ本体１２が前述のものよりも長く、また挟角が１３５°程度となるようにそのほぼ中間位置がくの字型に屈曲して形成されている。これはアークホーンアダプタ１０’を取り付ける前の対をなす線側ホーン３の先端と地側ホーン２の先端部の湾曲箇所とを結ぶ線（絶縁間隔Ｚ）は碍子連とほぼ平行した状態となっているが、線側ホーンの先端に直線状のアークホーンアダプタを取り付けると、その先端と地側ホーンの先端部の湾曲箇所とを結ぶ線が碍子連に対して傾斜した状態となってしまうため、キャップ本体１２を所定の角度に屈曲して形成してやることによりその傾斜ができるだけ小さくなるようにしたものである。なお上記のロック機構によればキャップ本体１２を任意の向きに簡易に固定することができるため便宜である。
【００２７】
図７および図８にさらに他の形態のアークホーンアダプタ（変形例）を示した。図７はアークホーンアダプタの他の実施形態を示す平面図（ａ）および軸方向断面図（ｂ）、図８はその分解斜視図である。
このアークホーンアダプタ１０”のロック機構は、一端（基端）から前記ホーンの先端が差し込まれる深穴１６が形成されたキャップ本体１２（直線型でも屈曲していてもよい）の一端の外周面に形成されたねじ山１８、およびキャップ本体１２の一端から軸方向に１２０°間隔で形成された３本のスリット２６と、固定部材１４であるロックナット２４から構成されている。このスリット２６が形成されたキャップ本体１２の基端側は、端部に向かって徐々に薄くなる薄肉テーパー断面となっている。そのためロックナット２４をキャップ本体１２のねじ山１８にねじ込むことでスリット２６が形成された部分が撓み、キャップ本体１２の深穴１６の入り口部分が縮径することで、ホーン先端にキャップ本体を任意の挿入深度で容易に固定することができるようになっている。なお上記例と同様の抜止機構（ボルト穴３２およびイモネジ３４）がこのアークホーンアダプタ１０”にも適用されている。
【００２８】
また、このアークホーンアダプタ１０”はその先端部分が着脱自在構造となっている。この例ではキャップ本体１２の先端部分（先端部１２ａ）の約２ｃｍ程度がねじ込み式でキャップ本体の基体末端に連結可能な構造となっている。ここでこの先端部１２ａをキャップ本体１２の基体に強固にねじ込み固定するために、先端部１２ａにはその中央部に径方向に貫通する直径３ｍｍ程度の貫通孔３６が形成されている。先端部１２ａのキャップ本体１２の基体への固定は、この貫通孔３６に金属棒を挿入し、これを持ち手として先端部を基体の末端にねじ込んでやった後にこの金属棒を抜き去ることで行われる。または先端部１２ａの最先端部分に軸方向に例えば六角穴を形成し、この六角穴に六角レンチを用いることで先端部を基体の末端にねじ込むようにしてやってもよい。
【００２９】
なお数種類の長さの先端部１２ａを予め用意しておけば、長さの異なる先端部を必要に応じて付け替えることで、アークホーンアダプタ１０”を適用することによる絶縁間隔Ｚの調整幅を拡大することができる。またアークホーン１の先端が雷撃によって溶損した場合にも、溶損した先端部１２ａだけを交換できるため、交換に要する労力、時間、コストを低減することができることはもちろんである。
【００３０】
以上のように本発明のアークホーンアダプタによれば、主として既設のアークホーンのホーンの先端に取り付けることでホーンの全長を延長して、絶縁間隔Ｚを必要に応じて任意な間隔に調整して狭めることができるようになる。ここで上記のようなロック機構を採用することで容易に絶縁間隔Ｚの調整ができるようになるだけでなくアークホーンアダプタをホーン先端に任意の取付角度で固定することができ、キャップ本体を屈曲させて形成した場合にも容易に所望の角度でこれをホーン先端に取り付け固定することができる。
【００３１】
なお本発明のアークホーンアダプタは、主として既設のアークホーンの絶縁間隔を簡易に調節するものであれば、上述した発明の実施の形態に限定されず、本発明の要旨を逸脱しない範囲で種々変更できることは勿論である。
【符号の説明】
【００３２】
１  アークホーン
２  地側ホーン
３  線側ホーン
１０  アークホーンアダプタ
１２  キャップ本体
１２ａ  先端部
１４  固定部材
１６  深穴
１８  ねじ山
２２  ロックリング
２４  ロックナット
２６  スリット
３２  ボルト穴
３４  イモネジ
３６  貫通孔
１００  架空送電線
１０１  絶縁碍子
１０２  鉄塔
１０５  支持部
１１０  アークホーン
Ｚ  絶縁間隔
【図１】
2012174478.tif 000003
【図２】
2012174478.tif 000004
【図３】
2012174478.tif 000005
【図４】
2012174478.tif 000006
【図５】
2012174478.tif 000007
【図６】
2012174478.tif 000008
【図７】
2012174478.tif 000009
【図８】
2012174478.tif 000010
【図９】
2012174478.tif 000011